(57)【要約】  画像の拡大率を示す拡大率情報と前記画像を示す画像信号が入力し、当該画像信号の画像サイズを前記拡大率に応じて変更する画像処理を前記画像信号に対して行う画像処理部（２２）と、前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理部（２４）と、表示画面を備え、前記画質処理部がシャープネス処理した画像信号に基づく画像を前記表示画面に表示する表示部（２５）と、を備えることを特徴とする。
2011132235.tif 000002
【特許請求の範囲】
【請求項１】
画像の拡大率を示す拡大率情報と前記画像を示す画像信号が入力し、当該画像信号の画像サイズを前記拡大率に応じて変更する画像処理を前記画像信号に対して行う画像処理部と、
前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理部と、
表示画面を備え、前記画質処理部がシャープネス処理した画像信号に基づく画像を前記表示画面に表示する表示部と、
を備えることを特徴とする表示装置。
【請求項２】
画像の拡大率を示す拡大率情報と前記画像を示す画像信号が入力し、当該画像信号の画像サイズを前記拡大率に応じて変更する画像処理を前記画像信号に対して行う画像処理部と、
前記画像処理がなされた画像信号と前記拡大率情報が入力し、前記拡大率に応じて予め決められているシャープネス周波数特性に基づき、前記画像処理がなされた画像信号の周波数成分を強調するシャープネス処理を行うシャープネス回路を複数備え、前記拡大率情報が示す拡大率に応じて前記シャープネス回路を選択する画質処理部と、
表示画面を備え、前記画質処理部がシャープネス処理した画像信号に基づく画像を前記表示画面に表示する表示部と、
を備えることを特徴とする表示装置。
【請求項３】
前記請求項１あるいは２に記載の表示装置を複数備え、
前記複数の表示装置の表示制御を行う表示制御装置を備える表示システムであって、
前記表示制御装置は、
前記複数の表示装置の接続方法に応じた前記画像信号および前記拡大率情報を、各表示装置に出力することを特徴とする表示システム。
【請求項４】
前記表示制御装置は、
異なる拡大率を示す前記拡大率情報を前記複数の表示装置に出力することを特徴とする請求項３に記載の表示システム。
【請求項５】
画像の拡大率を示す拡大率情報と前記画像を示す画像信号を入力し、当該画像信号の画像サイズを前記拡大率に応じて変更する画像処理を前記画像信号に対して行う画像処理ステップと、
前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理ステップと、
前記シャープネス処理がなされた画像信号に基づく画像を表示画面に表示する表示ステップと、
を備えることを特徴とする表示方法。
【請求項６】
コンピュータを、
画像の拡大率を示す拡大率情報と前記画像を示す画像信号を入力し、当該画像信号の画像サイズを前記拡大率に応じて変更する画像処理を前記画像信号に対して行う画像処理手段、
前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理手段、
前記シャープネス処理がなされた画像信号に基づく画像を表示画面に表示する表示手段、
として機能させるためのプログラム。
【発明の詳細な説明】
【技術分野】
【０００１】
本発明は、複数のディスプレイを含む表示装置、表示システム、表示方法およびプログラムに関する。
【背景技術】
【０００２】
複数のディスプレイを用いて映像等を表示する表示システム（以下、マルチ画像システムという）において、例えば、表示対象である映像を、各々のディスプレイに表示する映像に分解して、各ディスプレイに分解した映像を分配する機能を有する映像分解器を使用する方法がある。
一方、全部のディスプレイに同一の映像を分配し、各ディスプレイが、自身の機能を利用して、分配された映像を所望の領域を切り出し、所望の倍率に拡大して表示し、当該映像を複数のディスプレイを用いて表わす方法がある。
本発明は、後者に関するものである。【０００３】
一般的に、ディスプレイが表示する画像のシャープネスを調整する方法としては、画像の輪郭を示す周波数成分を抽出し、元の信号に加える（濾波器による一括処理を含め）方法がある。
この場合、シャープネスの調整量（以下、シャープネスレベルという）に対応するシャープネス周波数特性が予め決められており、この対応関係を表わすテーブルが、ディスプレイに内蔵される記憶部に記憶されている。そして、ユーザーの好みに応じたシャープネスレベルでのシャープネス処理が指示されると、ディスプレイに内蔵されるシャープネス回路が、このテーブルを参照して、シャープネスレベルに応じたシャープネス周波数特性に基づき、対象となる画像信号の周波数成分を強調するシャープネス処理を行うことにより、画像のシャープネスを調整する。
例えば、マルチ画像システムにおいて、各ディスプレイを制御する再生装置が、各ディスプレイに対応する描画ユニットを備え、ディスプレイの表示状態の設定を変更する操作情報が入力された場合、各ディスプレイの表示状態を変更するものがある（例えば、特許文献１参照）。
【先行技術文献】
【特許文献】
【０００４】
【特許文献１】特開２００５−２７４９３７号公報
【発明の概要】
【発明が解決しようとする課題】
【０００５】
しかしながら、特許文献１に記載されているような再生装置は、予め決められているシャープネスレベルとシャープネス周波数特性とを対応付けたテーブルを参照して、画像のシャープネスを調整する。このため、例えば、表示システムに含まれる複数のディスプレイにおいて表示する画像の拡大率が異なる場合、一部のディスプレイにおいてシャープネスがかからない問題があった。【０００６】
この問題について、図１０を参照して、具体的に説明する。
シャープネス周波数特性は、画像信号の周波数成分（デジタルの場合はアナログに置き換えたとして）や、ディスプレイの総画素数、あるいは、画像の画素数や画像サイズ等に応じて、シャープネス処理で強調する最適値が決まっている。
一方、マルチ画像システムにおける各ディスプレイは、他のディスプレイとともに１つの画像を表示する場合、画像サイズを拡大して表示する場合がある。画像サイズを拡大する画像処理がなされた画像信号は、この画像信号に含まれる周波数成分も画像処理に応じて変化する。【０００７】
図１０（ａ）に示すように、例えば、画面サイズにあった画像をディスプレイに表示している場合、画像にシャープネスをかけるために強調する最適値（シャープネス周波数特性）として、画面の水平方向に周波数ｆ０をピークとした周波数成分が予め決められている。この最適値は、上述のように、画像信号が有する周波数成分等によって予め決められており、例えば、同一の画素数や画像サイズを有する画像信号は、同一の周波数ｆ０をピークとした周波数成分が最適値として予め決められている。
例えば、図１０（ａ）に示すディスプレイを４台用いて、この図１０（ｂ）に示すように、水平方向および垂直方向に２台の画面を並べて使用するマルチ画像システムでは、４台のディスプレイの全画面に画像サイズを拡大して表示する場合、画像サイズを２倍に拡大する画像処理を画像信号に対して行う。このため、最適周波数成分が相対的に１／２となる。従って、シャープネス周波数特性における最適値を、周波数ｆ０／２をピークとした周波数成分とする必要がある。
また、同様に、このディスプレイを９台用いて、例えば、図１０（ｃ）に示すように、水平方向および垂直方向に３台の画面を並べて使用するマルチ画像システムでは、９台のディスプレイの全画面に画像サイズを拡大して表示する場合、画像サイズを３倍に拡大する画像処理を画像信号に対して行う。このため、最適周波数成分が相対的に１／３となる。従って、シャープネス周波数特性における最適値を、周波数ｆ０／３をピークとした周波数成分とする必要がある。
なお、図示しないが、ディスプレイ画面の垂直方向においても、同様に、画像サイズの拡大に応じて、シャープネス周波数特性における最適値が相対的に変化する。【０００８】
しかしながら、背景技術において説明したとおり、シャープネス回路に保存されているテーブルは、画像サイズの拡大率に関係なく、予め決められているシャープネスの調整量とシャープネス周波数特性とを対応付けたテーブルである。このため、このシャープネス回路が、図１０（ｂ）（ｃ）に示すように、画像サイズを拡大する画像処理がなされた画像信号に対してシャープネス処理をかける場合、図１０（ａ）に示すように、画面の水平方向に周波数ｆ０をピークとした周波数成分を強調することとなり、シャープネスがかからない。
つまり、図１０から明らかなように、画像処理部によって画像サイズを２倍、３倍に拡大する画像処理がなされた画像信号には、周波数ｆ０を含む周波数成分が存在しない。このためシャープネス回路は、存在しない周波数成分を強調することになり、視覚的にシャープネスがかからない問題がある。【０００９】
本発明は、このような事情を考慮し、上記の問題を解決すべくなされたものであって、その目的は、複数のディスプレイを備えるマルチ画像システムにおいて、画像サイズを変更する画像処理から出力された画像信号に対してシャープネス処理を適切に行う表示装置、表示システム、表示方法およびプログラムを提供することにある。
【課題を解決するための手段】
【００１０】
上記問題を解決するために、本発明に係る表示装置は、画像の拡大率を示す拡大率情報と前記画像を示す画像信号が入力し、当該画像信号の画像サイズを前記拡大率に応じて変更する画像処理を前記画像信号に対して行う画像処理部と、前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理部と、表示画面を備え、前記画質処理部がシャープネス処理した画像信号に基づく画像を前記表示画面に表示する表示部と、を備えることを特徴とする。【００１１】
また、上記問題を解決するために、本発明に係る表示装置は、画像の拡大率を示す拡大率情報と前記画像を示す画像信号が入力し、当該画像信号の画像サイズを前記拡大率に応じて変更する画像処理を前記画像信号に対して行う画像処理部と、前記画像処理がなされた画像信号と前記拡大率情報が入力し、前記拡大率に応じて予め決められているシャープネス周波数特性に基づき、前記画像処理がなされた画像信号の周波数成分を強調するシャープネス処理を行うシャープネス回路を複数備え、前記拡大率情報が示す拡大率に応じて前記シャープネス回路を選択する画質処理部と、表示画面を備え、前記画質処理部がシャープネス処理した画像信号に基づく画像を前記表示画面に表示する表示部と、を備えることを特徴とする。【００１２】
さらに、上記問題を解決するために、本発明に係る表示システムは、上述の表示装置を複数備え、前記複数の表示装置の表示制御を行う表示制御装置を備える表示システムであって、前記表示制御装置が、前記複数の表示装置の接続方法に応じた前記画像信号および前記拡大率情報を、各表示装置に出力することを特徴とする。【００１３】
また、上述の表示システムは、前記表示制御装置が、異なる拡大率を示す前記拡大率情報を前記複数の表示装置に出力することを特徴とする。【００１４】
また、上記問題を解決するために、本発明に係る表示方法は、画像の拡大率を示す拡大率情報と前記画像を示す画像信号を入力し、当該画像信号の画像サイズを前記拡大率に応じて変更する画像処理を前記画像信号に対して行う画像処理ステップと、前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理ステップと、前記シャープネス処理がなされた画像信号に基づく画像を表示画面に表示する表示ステップと、を備えることを特徴とする。【００１５】
また、上記問題を解決するために、本発明に係るプログラムは、コンピュータを、画像の拡大率を示す拡大率情報と前記画像を示す画像信号を入力し、当該画像信号の画像サイズを前記拡大率に応じて変更する画像処理を前記画像信号に対して行う画像処理手段、前記画像処理がなされた画像信号と前記拡大率情報が入力し、前記画像に応じて予め決められているシャープネス周波数特性を前記拡大率情報が示す拡大率に応じて変更し、当該変更したシャープネス周波数特性に基づき、前記画像処理がなされた画像信号の周波数成分を強調するシャープネス処理を行う画質処理手段、前記シャープネス処理がなされた画像信号に基づく画像を表示画面に表示する表示手段、として機能させるためのプログラムを特徴とする。
【発明の効果】
【００１６】
本発明によると、複数のディスプレイを備えるマルチ画像システムにおいて、画像サイズを変更する画像処理から出力された画像信号に対してシャープネス処理を適切に行うことができる。
【図面の簡単な説明】
【００１７】
【図１】第１実施形態に係る並列接続表示システムの一例を示す図である。
【図２】第１実施形態に係る直列接続表示システムの一例を示す図である。
【図３】第１実施形態に係る表示制御装置の構成の一例を示すブロック図である。
【図４】第１実施形態に係るディスプレイの構成の一例を示すブロック図である。
【図５】シャープネスの周波数特性が拡大率に応じてそのピーク値が変化することを説明するための図である。
【図６】第１実施形態に係る表示システムの処理フローの一例について示すフローチャートである。
【図７】第２実施形態について説明するための図である。
【図８】第３実施形態に係る表示制御装置の構成の一例を示すブロック図である。
【図９】第３実施形態に係るディスプレイの構成の一例を示すブロック図である。
【図１０】本実施形態に係る課題を説明するための図である。
【発明を実施するための形態】
【００１８】
［第１実施形態］
次に、発明を実施するための一形態について図面を参照して詳細に説明する。
図１は、本実施形態に係る表示システムの一例を示す図である。
図１に示す通り、表示システムは、表示制御装置１００と、この表示制御装置１００とそれぞれ並列的に接続されている複数の表示装置（以下、ディスプレイという）Ｄ１〜Ｄ４を含む。なお、このように並列的に表示制御装置１００とディスプレイＤ１〜Ｄ４とを接続する構成を、以下、並列接続表示システムという。
このディスプレイＤ１〜Ｄ４は、例えば、それぞれ同じの大きさの画面Ｇ１〜Ｇ４を備える。この画面Ｇ１と画面Ｇ２、画面Ｇ３と画面Ｇ４は、それぞれ水平方向に並べられており、この画面Ｇ１と画面Ｇ３、画面Ｇ２と画面Ｇ４は、それぞれ垂直方向に並べられている。この画面Ｇ１〜Ｇ４は、４つで１つのマルチ画面ＭＧを構成する。
【００１９】
表示制御装置１００は、画像供給装置２００と接続されている。この表示制御装置１００は、画像供給装置２００から画像信号および表示制御信号を入力する。
画像信号は、ディスプレイＤ１〜Ｄ４に表示させる画像を表わすデータである。表示制御信号は、ディスプレイＤ１〜Ｄ４に表示させる画像サイズの拡大率を示す表示拡大率情報や、マルチ画面ＭＧにおける表示位置を示す表示位置情報、あるいは、画質のシャープネスを調整する程度を示す表示シャープネスレベル情報を含む。なお、表示位置は、マルチ画面ＭＧにおける位置であって、例えば、画面Ｇ１〜Ｇ４に対応する表示位置を、それぞれ表示位置Ａ〜Ｄとする。また、表示シャープネスレベル情報は、例えば、シャープネス処理を行わないことを示すシャープネスレベル「０」から、輪郭を最も強く強調することを示すシャープネスレベル「+５」まで、輪郭を強調する程度を段階的に示す情報である。
なお、説明便宜のため、表示制御装置１００と画像供給装置２００は、独立した装置としているが、片方に両機能を包含するものであってもよい。
【００２０】
この表示制御装置１００は、入力する画像信号および表示制御信号を、各ディスプレイＤ１〜Ｄ４に供給する。なお、表示制御装置１００から各ディスプレイＤ１〜Ｄ４に供給される信号を、それぞれ、ディスプレイ供給信号Ｓ１〜Ｓ４と以下いう。
ディスプレイＤ１〜Ｄ４は、それぞれ、ディスプレイ供給信号Ｓ１〜Ｓ４を入力し、このディスプレイ供給信号Ｓ１〜Ｓ４に基づき、画像を表示する。
【００２１】
ここでは、説明便宜のため、ディスプレイを４つ含む表示システムを例に説明するが、本発明はこれに限られず、水平方向に３つのディスプレイを、垂直方向に３つのディスプレイを、それぞれ並べて９つのディスプレイＤ１〜Ｄ９で構成される表示システムであってもよいし、それ以上のディスプレイを組み合わせる構成であってもよい。
【００２２】
また、本実施形態に係る表示システムは、上述のように、並列的に表示制御装置１００と接続されるディスプレイＤ１〜Ｄ４を備える構成（並列接続表示システム）に限られず、例えば、図２に示すように、ディスプレイＤ１〜Ｄ４が直列的に表示制御装置１００と接続されるものであってもよい。なお、このように直列的に表示制御装置１００とディスプレイＤ１〜Ｄ４とを接続する構成を、以下、直列接続表示システムという。
【００２３】
具体的に説明すると、図２に示す通り、ディスプレイＤ１〜Ｄ４は、Ｄ１〜Ｄ４の順番で直列的に接続されている。このうちディスプレイＤ１が、表示制御装置１００と接続されている。ディスプレイＤ１〜Ｄ４は、入力した信号を、出力側に接続されているディスプレイに出力する。
【００２４】
この表示制御装置１００は、入力する画像信号および表示制御信号を、各ディスプレイＤ１〜Ｄ４に供給する。なお、ここで、表示制御装置１００から各ディスプレイＤ１に供給される信号を、ディスプレイ供給信号ＳＳと以下いう。
このディスプレイ供給信号ＳＳは、例えば、１つの画像信号および１つの表示制御信号を含み、全てのディスプレイＤ１〜Ｄ４に対して同一の画像信号および同一の表示制御信号を供給する信号であってよい。
また、これに限られず、ディスプレイ供給信号ＳＳは、各ディスプレイＤ１〜Ｄ４に対して、それぞれに対応する画像信号および表示制御信号を含むものであってもよい。つまり、表示制御装置１００は、各ディスプレイＤ１〜Ｄ４に対して予め決められている識別情報（例えば、ディスプレイＤ１〜Ｄ４に対して識別情報ＩＤ１〜４）が対応付けられた画像信号および表示制御信号を、ディスプレイＤ１に出力するものであってもよい。この場合、ディスプレイＤ１〜Ｄ４は、表示制御装置１００から入力するディスプレイ供給信号ＳＳから自身に割り当てられている識別情報ＩＤ１〜４と対応付けられている画像信号および表示制御信号を入力し、この画像信号および表示制御信号に基づき画像を表示するものであってもよい。
【００２５】
なお、表示制御装置１００は、ディスプレイＤ１〜Ｄ４から操作信号が入力されること、あるいは、リモコンやコントロールパネル等の操作部から各ディスプレイＤ１〜Ｄ４の表示位置が設定されることによって、並列接続表示システムあるいは直列接続表示システムとして機能する。よって、図示しないが、表示制御装置１００は、ディスプレイＤ１〜Ｄ４からの操作信号を入力する接続部や、操作部からの操作信号を受信する通信部等を含む。
【００２６】
次に、図３を参照して、表示制御装置１００の構成の一例について説明する。図３は、表示制御装置１００の構成の一例を示すブロック図である。
図３に示す通り、表示制御装置１００は、信号分別部１１と、画像信号分配部１２と、制御信号解析分配部１３と、制御信号統合部１４を含む。
信号分別部１１は、画像供給装置２００から入力された画像信号および表示制御信号を分配して、画像信号を画像信号分配部１２に出力するとともに、表示制御信号を制御信号解析分配部１３に出力する。また、信号分別部１１は、直列接続表示システムとして機能する場合、画像信号を画像信号分配部１２に出力することなく、分配した画像信号を直接ディスプレイＤ１に出力する。
【００２７】
画像信号分配部１２は、並列接続表示システムとして機能する場合、信号分析部１１から入力する画像信号をディスプレイＤ１〜Ｄ４のそれぞれに出力する。つまり、画像信号分配部１２は、画像信号を複製して、各ディスプレイＤ１〜Ｄ４に分配する。
【００２８】
制御信号解析分配部１３は、信号分析部１１から入力する表示制御信号を解析して、各ディスプレイＤ１〜Ｄ４に対応する端末制御信号に分配する。この制御信号解析分配部１３は、並列接続表示システムとして機能する場合、ディスプレイＤ１〜Ｄ４のそれぞれに対して、分配した端末制御信号を出力する。一方、直列接続表示システムとして機能する場合、制御信号解析分配部１３は、各ディスプレイＤ１〜Ｄ４に分配される端末制御信号に対して各ディスプレイＤ１〜Ｄ４の識別情報ＩＤ１〜４を付与して制御信号統合部１４に出力する。
具体的に説明すると、制御信号解析分配部１３は、表示制御信号に含まれる表示位置情報に基づき、各ディスプレイＤ１〜Ｄ４に表示する画像の表示位置Ａ〜Ｃを示す端末位置情報を解析によって得る。また、制御信号解析分配部１３は、表示制御信号に含まれる表示拡大率情報に基づき、各ディスプレイＤ１〜Ｄ４に表示する画像サイズの拡大率を示す端末拡大率情報を解析によって得る。さらに、制御信号解析分配部１３は、表示制御信号に含まれる表示シャープネスレベル情報に基づき、各ディスプレイＤ１〜Ｄ４に表示する画像のシャープネスレベルを示す端末拡大率情報を解析によって得る。
この制御信号解析分配部１３は、解析によって得た端末位置情報や端末拡大率情報および端末シャープネスレベル情報を含む端末制御信号を、各ディスプレイＤ１〜Ｄ４あるいは制御信号統合部１４に出力する。
【００２９】
制御信号統合部１４は、直列接続表示システムとして機能する場合、制御信号解析分配部１３から入力される端末制御信号を統合して、ディスプレイＤ１に出力する。
【００３０】
次に、図４を参照して、ディスプレイＤ１の構成の一例について説明する。図４は、ディスプレイＤ１の構成の一例を示すブロック図である。なお、ディスプレイＤ１〜Ｄ４は同一の構成を有し、ここでは、ディスプレイＤ１を例に以下説明する。
ディスプレイＤ１は、信号処理部２０と、表示部２５とを含む。
この信号処理部２０は、信号分別部２１と、画像処理部２２と、制御信号解析部２３と、周波数可変型シャープネス回路（画質処理部）２４を含む。
【００３１】
信号分別部２１は、表示制御装置１００からディスプレイ供給信号Ｓ１である画像信号と端末制御信号を入力し、これを分別して、画像信号を画像処理部２２に出力するとともに、端末制御信号を制御信号解析部２３に出力する。
【００３２】
制御信号解析部２３は、入力する端末制御信号を解析し、端末制御信号に含まれる端末拡大率情報、端末位置情報、および端末シャープネスレベル情報を得る。この制御信号解析部２３は、解析によって得られる端末拡大率情報および端末位置情報を画像処理情報として画像処理部２４に出力する。また、制御信号解析部２３は、解析によって得られる端末拡大率情報および端末シャープネスレベル情報を周波数情報として周波数可変型シャープネス回路２４に出力する。
【００３３】
画像処理部２２は、制御信号解析部２３から入力する画像処理情報に基づき、信号分別部２１から入力する画像信号に対して画像処理を行い、画像処理をした画像信号を周波数可変型シャープネス回路２４に出力する。
この画像処理部２２は、画像処理情報に含まれる端末拡大率情報に応じて、画像サイズを拡大する画像処理を画像信号に対して行う。また、画像処理部２２は、画像処理情報に含まれる端末位置情報に基づき、画像信号において対応する部分の画像を切り出す。
【００３４】
周波数可変型シャープネス回路２４は、制御信号解析部２３から入力された周波数情報に含まれる端末拡大率情報および端末シャープネスレベル情報に基づき、画像処理部２２から入力する画像信号に対してシャープネス処理を行い、シャープネス処理がなされた画像信号を表示部２５に出力する。
【００３５】
表示部２５は、画面Ｇ１を含む装置であって、周波数可変型シャープネス回路２４から入力する画像信号に基づく画像を、画面Ｇ１に表示する。
【００３６】
ここで、図５を参照して、周波数可変型シャープネス回路２４のシャープネス処理の一例について説明する。図５は、シャープネス周波数特性の最適値が拡大率に応じて変化することを説明するための図である。なお、各グラフは、横軸が周波数、縦軸が振幅を表わす。
図５（ａ）は、周波数可変型シャープネス回路２４が、各ディスプレイＤ１〜Ｄ４に対して、例えば、シャープネスレベル「＋１」のシャープネス処理を行い全てのディスプレイＤ１〜Ｄ４に表示されている画像のシャープネスを調整する場合について説明する図である。つまり、各ディスプレイＤ１〜Ｄ４に表示する画像の拡大率は「１倍」である。
【００３７】
このシャープネスレベル「＋１」に対応するシャープネス周波数特性の最適値は、画面の水平方向に周波数ｆ０（例えば、３０ＭＨｚ）をピークとする周波数成分であることが予めわかっている。
そこで、シャープネスレベル「＋１」でシャープネスを調整する際のシャープネス周波数特性として、画面の水平方向に周波数ｆ０をピークとする周波数成分を有するシャープネス周波数特性が、周波数可変型シャープネス回路２４が内蔵する記憶部に予め記憶されている。
よって、周波数可変型シャープネス回路２４は、この記憶部を参照して、全てのディスプレイＤ１〜Ｄ４において、画像信号に対して、画面の水平方向に周波数ｆ０をピークとした周波数成分を強調する処理を行う。これにより、各ディスプレイＤ１〜Ｄ４に表示される画像に対してシャープネスレベル「＋１」のシャープネスがかかる。
【００３８】
一方、図５（ｂ）に示すように、ディスプレイＤ１〜Ｄ４の画面Ｇ１〜Ｇ４で構成されるマルチ画面ＭＧに１つの画像を表示する場合、各ディスプレイＤ１〜Ｄ４に表示した画像サイズを「２倍」に拡大した画像であって、マルチ画面ＭＧにおける位置に応じた一部を、各ディスプレイＤ１〜Ｄ４に表示する。
つまり、画像処理部２２が、ディスプレイＤ１〜Ｄ４に表示させるため、画像サイズを「２倍」に拡大する画像処理を画像信号に対して行うとともに、各ディスプレイＤ１〜Ｄ４の位置に応じた画像の一部を切り出す画像処理を行う。この場合、画像信号に含まれる周波数成分は、画像サイズの拡大率に応じて相対的に変化し、１／２となる。この周波数成分を、図５（ｂ）に破線で示す。
【００３９】
図示の通り、破線で示す周波数特性は、画面の水平方向のピーク値が周波数ｆ０／２（例えば、１５ＭＨｚ）であって、実線で示すシャープネス周波数特性（画像サイズの拡大率が「１倍」のときのもの）のピーク値の周波数ｆ０とずれている。
このため、シャープネス回路が、画面の水平方向に周波数ｆ０をピークとした周波数特性（すなわち、シャープネスレベル「＋１」に対応するシャープネス周波数特性）に基づき、周波数ｆ０を含む周波数成分を強調するシャープネス処理を、画像処理部によって画像サイズを２倍に拡大する画像処理がなされた画像信号に対して行ったとしても、画像信号にはシャープネスがかからない。つまり、画像処理部によって画像サイズを２倍に拡大する画像処理が画像信号に対してなされることにより、この画像信号に含まれる周波数成分においては、画面の水平方向に周波数ｆ０をピークとした周波数成分が存在しない。このため、シャープネス回路は、存在しない周波数成分を強調することになり、視覚的にシャープネスがかからない。
【００４０】
そこで、本発明に係る周波数可変型シャープネス回路２４は、図５（ｂ）に示すように、画像サイズが２倍で表示される場合、制御信号解析部２３から入力する周波数情報に基づき、画像サイズの拡大率に応じて、シャープネスレベルに対応付けられているシャープネス周波数特性のピーク値を１／２とする変更をシャープネス周波数特性に対して行う。この変更後のシャープネス周波数特性は、図５（ｃ）に実線で示す周波数特性に対応している。
この周波数可変型シャープネス回路２４は、拡大率に応じて変更されたシャープネス周波数特性に基づき画像信号のシャープネス処理を行う。これにより、ディスプレイＤ１〜Ｄ４に表示される画像に対してシャープネスレベル「＋１」のシャープネスがかかる。
【００４１】
次に、図６を参照して、本実施形態に係る表示システムの処理フローについて説明する。図６は、本実施形態に係る表示システムの処理フローの一例について示すフローチャートである。
なお、ここでは、並列接続表示システムで機能することが予め設定されているものとする。また、この表示システムが、図５（ｃ）に示すように、マルチ画面ＭＧに合わせて画像サイズを２倍に拡大した画像をディスプレイＤ１〜Ｄ４に表示させる処理を例に説明する。
【００４２】
例えば、画像供給装置２００において、ディスプレイＤ１〜Ｄ４に表示する画像信号や、マルチ画面ＭＧにおける表示位置や拡大率およびシャープネスレベルが指定されると、表示制御装置１００が、画像供給装置２００から、表示位置情報や表示拡大率情報および表示シャープネスレベル情報を含む表示制御信号と、画像信号を入力する（ステップＳＴ１）。ここで、表示制御信号は、表示位置「Ａ〜Ｄ：全画面を意味する」を示す表示位置情報と、拡大率「２倍」を示す表示拡大率情報と、シャープネスレベル「＋１」を示す表示シャープネスレベル情報を含む。
この画像信号と表示制御信号を入力した信号分別部１１は、この画像信号と表示制御信号を分配して、画像信号を画像信号分配部１２に出力するとともに、表示制御信号を制御信号解析分配部１３に出力する（ステップＳＴ２）。
【００４３】
この制御信号解析分配部１３は、信号分析部１１から入力する表示制御信号を解析する。
ここで、制御信号解析分配部１３は、表示制御信号に含まれる表示位置情報に基づき、各ディスプレイＤ１〜Ｄ４に表示する画像の表示位置として、それぞれ表示位置Ａ〜Ｄを示す端末位置情報を得る。また、制御信号解析分配部１３は、表示制御信号に含まれる表示拡大率情報に基づき、各ディスプレイＤ１〜Ｄ４に表示する画像サイズの拡大率として、拡大率「２」とする端末拡大率情報を得る。さらに、制御信号解析分配部１３は、表示制御信号に含まれる表示シャープネスレベル情報に基づき、各ディスプレイＤ１〜Ｄ４に表示する画像のシャープネスレベルとして、シャープネスレベル「＋１」とする端末シャープネスレベル情報を得る。
【００４４】
このように、制御信号解析分配部１３は、各ディスプレイＤ１〜Ｄ４に出力する端末制御情報ごとに、端末位置情報、端末拡大率情報および端末シャープネスレベル情報を解析によって得て（ステップＳＴ３）、各ディスプレイＤ１〜Ｄ４に出力する。また、画像信号分配部１２は、入力する画像信号を、各ディスプレイＤ１〜Ｄ４に出力する（ステップＳＴ４）。
つまり、画像信号分配部１２は、全てのディスプレイＤ１〜Ｄ４に対して同一の画像信号を出力する。また、制御信号解析分配部１３は、ディスプレイＤ１に対して、表示位置「Ａ」を示す端末位置情報と、拡大率「２倍」を示す端末拡大率情報と、シャープネスレベル「＋１」を示す端末シャープネスレベル情報とを含む端末制御信号を出力する。同様にして、制御信号解析分配部１３は、ディスプレイＤ２，Ｄ３，Ｄ４に対しては、それぞれ、表示位置「Ｂ」，「Ｃ」，「Ｄ」を示す端末位置情報と、拡大率「２倍」を示す端末拡大率情報と、シャープネスレベル「＋１」を示す端末シャープネスレベル情報とを含む端末制御信号を出力する。
【００４５】
そして、例えばディスプレイＤ１の信号分別部２１は、画像信号と端末制御信号を入力し（ステップＳＴ５）、これを分別して、画像信号を画像処理部２２に出力するとともに、端末制御信号を制御信号解析部２３に出力する（ステップＳＴ６）。
制御信号解析部２３は、入力する端末制御信号を解析し、解析によって得られる端末拡大率情報と端末位置情報を含む画像処理情報を画像処理部２２に出力するとともに、解析によって得られる端末拡大率情報と端末シャープネスレベル情報を含む周波数情報を周波数可変型シャープネス回路２４に出力する（ステップＳＴ７）。
【００４６】
この画像処理部２２は、画像処理情報に含まれる端末拡大率情報に基づき、画像サイズを拡大する画像処理を画像信号に対して行うとともに、画像処理情報に含まれる端末位置情報に基づき、画像信号において対応する部分の画像を切り出す（ステップＳＴ８）。つまり、ディスプレイＤ１における画像処理部２２は、画像信号に基づき、画像サイズを２倍に拡大するとともに、この画像を４等分した左上の一部を切り出す画像処理を行う。そして、画像処理部２２は、画像処理した画像信号を周波数可変型シャープネス回路２４に出力する。
【００４７】
次いで、周波数可変型シャープネス回路２４は、制御信号解析部２３から入力される周波数情報に含まれる端末シャープネスレベル情報に基づき、内蔵する記憶部からシャープネスレベル「＋１」に対応するシャープネス周波数特性を読み出す。このシャープネスレベル「＋１」に対応するシャープネス周波数特性は、上述の通り、画面の水平方向に周波数ｆ０をピークとした周波数特性である。
そして、周波数可変型シャープネス回路２４は、読み出したシャープネス周波数特性に対して、端末拡大率情報が示す拡大率に応じた変更を行い、変更後のシャープネス周波数特性に基づき、画像処理部２２から入力する画像信号の周波数成分を強調するシャープネス処理を行う。つまり、周波数可変型シャープネス回路２４は、端末拡大率情報が示す拡大率「２」でピーク値である周波数ｆ０を除算して得られる周波数ｆ０／２をピーク値とする変更後のシャープネス周波数特性を得る。この周波数可変型シャープネス回路２４は、この変更後のシャープネス周波数特性に基づき、画像サイズを２倍に拡大する画像処理がなされた画像信号に対して、周波数ｆ０／２を含む周波数成分を強調するシャープネス処理を行う（ステップＳＴ９）。
これにより、上述の通り、画像信号に対してシャープネスレベル「＋１」のシャープネスがかかる。
【００４８】
この周波数可変型シャープネス回路２４は、シャープネス処理がなされた画像信号を表示部２５に出力する。
表示部２５は、周波数可変型シャープネス回路２４から入力された画像信号に基づき、画面Ｇ１に画像を表示する（ステップＳＴ１０）。
【００４９】
上述の通り、周波数可変型シャープネス回路２４は、画像処理部２２が拡大した画像信号に対して、その拡大率に応じて変更された周波数特性に基づきシャープネス処理を行う。
これにより、図５を用いて上述したような問題を解決し、画像サイズを拡大する画像処理がなされた画像信号に対してもシャープネスをかけることができる。
【００５０】
また、周波数可変型シャープネス回路２４は、画像処理部２２によって画像処理がなされた画像信号に対してシャープネス処理を行うことにより、適切なシャープネスレベルでシャープネス処理がなされた画像を表示部２５に表示することができる。一方、本発明によらず、画像処理部が画像処理を行う前に、シャープネス処理を行った場合、画像処理によって画質の劣化が生じる可能性があり、要求されている画質の画像を表示部２５に表示することが困難となる。
【００５１】
［第２実施形態］
次に、図７を用いて、本発明に係る第２実施形態について説明する。図７は、第２実施形態について説明するための図である。
本実施形態に係る表示システムは、複数のディスプレイに表示する画像サイズの拡大率が異なる場合、各画面サイズの拡大率に応じたシャープネス処理を行うものである。なお、本実施形態に係る表示システムは、上述の第１実施形態と、マルチ画面ＭＧを構成するディスプレイの数が異なる点を除いて、構成や機能は同一であるため、詳細な説明は省略する。
【００５２】
図７に示す通り、本実施形態に係る表示システムは、水平方向に３つのディスプレイを、垂直方向に３つのディスプレイを、それぞれ並べて９つのディスプレイＤ１〜Ｄ９で構成される。
このディスプレイＤ１〜Ｄ９は、例えば、それぞれ同じの大きさの画面Ｇ１〜Ｇ９を備える。この画面Ｇ１〜Ｇ３、画面Ｇ４〜Ｇ６、画面Ｇ７〜Ｇ９が、それぞれ水平方向に並べられており、この画面Ｇ１，Ｇ４，Ｇ７、画面Ｇ２，Ｇ５，Ｇ８、画面Ｇ３，Ｇ６，Ｇ９が、それぞれ垂直方向に並べられている。この画面Ｇ１〜Ｇ９は、全てで１つのマルチ画面ＭＧを構成する。
【００５３】
図７（ａ）に示すように、同一の画像サイズの画像を各ディスプレイＤ１〜Ｄ９に表示する場合、表示制御装置１００は、各ディスプレイＤ１〜Ｄ９に対して、同一の画像信号および同一の端末制御信号を出力する。
図７（ｂ）に示すように、一の画面をディスプレイＤ１，Ｄ２，Ｄ４，Ｄ５に、その画像サイズを「２倍」に拡大して表示するとともに、この拡大率と異なり、画像サイズ「１倍」の画像をディスプレイＤ３，Ｄ６〜Ｄ９に表示する場合、表示制御装置１００は、各ディスプレイＤ１〜Ｄ９に対して、同一の画像信号と異なる端末制御信号を出力する。
【００５４】
次に、図７（ｂ）に示すように、画像サイズの拡大率が異なる画像をマルチ画面ＭＧにおいて表示する処理フローについて説明する。
ここでは、各ディスプレイＤ１〜Ｄ９がそれぞれ表示制御装置１００と接続されて、表示制御装置１００が並列接続表示システムとして機能することが予め設定されているものとする。また、この表示システムは、図７（ｂ）に示すように、ディスプレイＤ１，Ｄ２，Ｄ４，Ｄ５からなる画面に合わせて画像サイズを２倍に拡大した画像を表示するとともに、ディスプレイＤ３，Ｄ６〜Ｄ９にはそれぞれ拡大しない画像を表示することを指示する指示信号が画像供給装置２００に入力されているものとする。さらに、ディスプレイＤ１〜Ｄ９の画面Ｇ１〜Ｇ９に対応する表示位置を、それぞれ表示位置Ａ〜Ｉとする。
【００５５】
例えば、画像供給装置２００に対して、ディスプレイＤ１，Ｄ２，Ｄ４，Ｄ５の画面Ｇ１，Ｇ２，Ｇ４，Ｇ５が構成する領域（以下、部分マルチ画面ＢＭＧという）に、一つの画像を画像サイズを２倍に拡大して表示するとともに、ディスプレイＤ３，Ｄ６〜Ｄ９の画面Ｇ３，Ｇ６〜Ｇ９には、拡大しない画像をそれぞれ表示することが指示される。また、各ディスプレイＤ１〜Ｄ９が表示する画像のシャープネスレベルとしては、例えば、シャープネスレベル「＋１」が指定される。
【００５６】
これにより、画像供給装置２００は、部分マルチ画面ＢＭＧの表示位置Ａ，Ｂ，Ｄ，Ｅを示す表示位置情報と、当該表示位置における拡大率「２倍」を示す表示拡大率情報、およびシャープネスレベル「＋１」を示す表示シャープネスレベル情報を含む表示制御信号を含む表示制御信号Ｓ１０１と、指示された画像の画像信号Ｓ１０２を対応付けて表示制御装置１００に出力する。
また、画像供給装置２００は、マルチ画面ＭＧにおける画面Ｇ３，Ｇ６〜Ｇ９の表示位置Ｃ，Ｆ〜Ｉを示す表示位置情報と、当該表示位置における拡大率「１倍」を示す表示拡大率情報、およびシャープネスレベル「＋１」を示す表示シャープネスレベル情報を含む表示制御信号を含む表示制御信号Ｓ１０３と、指示された画像の画像信号Ｓ１０４を対応付けて表示制御装置１００に出力する。
【００５７】
表示制御装置１００の信号分別部１１は、この表示制御信号Ｓ１０１，Ｓ１０３および画像信号Ｓ１０２，Ｓ１０４を入力し、画像信号Ｓ１０２，Ｓ１０４を画像信号分配部１２に出力するとともに、表示制御信号Ｓ１０１，Ｓ１０３を制御信号解析分配部１３に出力する。
【００５８】
この制御信号解析分配部１３は、信号分析部１１から入力する表示制御信号Ｓ１０１，Ｓ１０３を解析する。
例えば、制御信号解析分配部１３は、表示制御信号Ｓ１０１に含まれる表示位置情報に基づき、各ディスプレイＤ１，Ｄ２，Ｄ４，Ｄ５に表示する画像の表示位置として、それぞれ表示位置Ａ，Ｂ，Ｄ，Ｅを示す端末位置情報を得る。また、制御信号解析分配部１３は、表示制御信号Ｓ１０１に含まれる表示拡大率情報に基づき、各ディスプレイＤ１，Ｄ２，Ｄ４，Ｄ５に表示する画像サイズの拡大率として、拡大率「２」とする端末拡大率情報を得る。さらに、制御信号解析分配部１３は、表示制御信号Ｓ１０１に含まれる表示シャープネスレベル情報に基づき、各ディスプレイＤ１，Ｄ２，Ｄ４，Ｄ５に表示する画像のシャープネスレベルとして、シャープネスレベル「＋１」とする端末シャープネスレベル情報を得る。
そして、制御信号解析分配部１３は、これら端末位置情報、端末拡大率情報、および端末シャープネスレベル情報を含む端末制御信号Ｓ２０１を、各ディスプレイＤ１，Ｄ２，Ｄ４，Ｄ５に出力する。
【００５９】
また、制御信号解析分配部１３は、同様にして、表示制御信号Ｓ１０３に含まれる表示位置情報、表示拡大率情報および表示シャープネスレベル情報に基づき、各ディスプレイＤ３，Ｄ６〜Ｄ９に対応する端末位置情報（表示位置「Ｃ，Ｆ〜Ｉ」）と、端末拡大率情報（拡大率「１倍」）と、端末シャープネスレベル情報（シャープネスレベル「＋１」）を得る。そして、制御信号解析分配部１３は、これら端末位置情報、端末拡大率情報、および端末シャープネスレベル情報を含む端末制御信号Ｓ２０３を、各ディスプレイＤ３，Ｄ６〜Ｄ９に出力する。
【００６０】
一方、画像信号分配部１２は、入力する画像信号Ｓ１０２を複製して、各ディスプレイＤ１，Ｄ２，Ｄ４，Ｄ５に出力するとともに、入力する画像信号Ｓ１０４を複製して、各ディスプレイＤ３，Ｄ６〜Ｄ９に出力する。
【００６１】
そして、例えばディスプレイＤ１の信号分別部２１は、画像信号Ｓ１０２と端末制御信号Ｓ２０１を入力し、画像信号Ｓ１０２を画像処理部２２に出力するとともに、端末制御信号Ｓ２０１を制御信号解析部２３に出力する。
制御信号解析部２３は、入力する端末制御信号Ｓ２０１を解析し、解析によって得られる端末拡大率情報（拡大率「２倍」）と端末位置情報（表示位置「Ａ，Ｂ，Ｄ，Ｅ」）を含む画像処理情報を画像処理部２２に出力するとともに、解析によって得られる端末拡大率情報（拡大率「２倍」）と端末シャープネスレベル情報（シャープネスレベル「＋１」）を含む周波数情報を周波数可変型シャープネス回路２４に出力する。
【００６２】
この画像処理部２２は、画像信号Ｓ１０２に基づき、画像サイズを２倍に拡大するとともに、この画像を４等分した左上の一部を切り出す画像処理を行う。この画像処理された画像信号はＳ２０２という。
具体的にいうと、画像処理部２２は、端末位置情報（表示位置「Ａ，Ｂ，Ｄ，Ｅ」）に基づき、自身に予め割り当てられている表示位置「Ａ」（例えば、内蔵する記憶部に記憶されている）を参照して、自身の画面Ｇ１の表示する画像が、画像を４等分に分割した際の左上の一部に対応する画像であることを判断する。
そして、画像処理部２２は、画像処理した画像信号Ｓ２０２を周波数可変型シャープネス回路２４に出力する。
【００６３】
次いで、周波数可変型シャープネス回路２４は、上述と同様にして、シャープネスレベル「＋１」に対応するシャープネス周波数特性に対して、端末拡大率情報が示す拡大率「２倍」に応じた変更を行い、変更後のシャープネス周波数特性に基づき、画像処理された画像信号Ｓ２０２の周波数成分を強調するシャープネス処理を行う。つまり、周波数可変型シャープネス回路２４は、変更後のシャープネス周波数特性に基づき、画像サイズを２倍に拡大する画像処理がなされた画像信号Ｓ２０２に対して、周波数ｆ０／２を含む周波数成分を強調するシャープネス処理を行う。
これにより、上述の通り、画像信号Ｓ２０２に対してシャープネスレベル「＋１」のシャープネスがかかる。
【００６４】
この周波数可変型シャープネス回路２４は、シャープネス処理がなされた画像信号を表示部２５に出力する。表示部２５は、周波数可変型シャープネス回路２４から入力された画像信号に基づき、画面Ｇ１に画像を表示する。
【００６５】
また、例えばディスプレイＤ３の信号分別部２１は、画像信号Ｓ１０４と端末制御信号Ｓ２０３を入力し、画像信号Ｓ１０４を画像処理部２２に出力するとともに、端末制御信号Ｓ２０３を制御信号解析部２３に出力する。
制御信号解析部２３は、入力する端末制御信号Ｓ２０３を解析し、解析によって得られる端末拡大率情報（拡大率「１倍」）と端末位置情報（表示位置「Ｃ，Ｆ〜Ｉ」）を含む画像処理情報を画像処理部２２に出力するとともに、解析によって得られる端末拡大率情報（拡大率「１倍」）と端末シャープネスレベル情報（シャープネスレベル「＋１」）を含む周波数情報を周波数可変型シャープネス回路２４に出力する。
【００６６】
この画像処理部２２は、画像信号Ｓ１０４に基づき画像処理の必要性を判断し、端末拡大率情報（拡大率「１倍」）であることから、画像サイズの変更や切り出し等の画像処理が必要ないことを判断する。そして、画像処理部２２は、画像処理をすることなく、画像信号Ｓ１０４を周波数可変型シャープネス回路２４に出力する。
そして、画像処理部２２は、画像信号Ｓ１０４を周波数可変型シャープネス回路２４に出力する。
【００６７】
次いで、周波数可変型シャープネス回路２４は、周波数情報に含まれる端末拡大率情報に基づき、シャープネス周波数特性に対して拡大率に応じた変更をする必要性があるかどうかの判断を行い、端末拡大率情報（拡大率「１倍」）であることから、シャープネス周波数特性に対して拡大率に応じた変更が必要ないことを判断する。そして、周波数可変型シャープネス回路２４は、シャープネスレベル「＋１」に対応するシャープネス周波数特性に基づき、画像信号Ｓ１０４の対応する周波数成分を強調するシャープネス処理を行う。つまり、周波数可変型シャープネス回路２４は、画像処理がなされていない画像信号Ｓ１０４に対して、周波数ｆ０を含む周波数成分を強調するシャープネス処理を行う。
これにより、上述の通り、画像信号Ｓ１０４に対してシャープネスレベル「＋１」のシャープネスがかかる。
【００６８】
この周波数可変型シャープネス回路２４は、シャープネス処理がなされた画像信号を表示部２５に出力する。表示部２５は、周波数可変型シャープネス回路２４から入力された画像信号に基づき、画面Ｇ３に画像を表示する。
【００６９】
上述の通り、周波数可変型シャープネス回路２４は、異なる拡大率での表示が指示された画像を各ディスプレイＤ１〜Ｄ９に表示させる際、画像処理部２２が画像サイズを拡大する画像処理をした画像信号に対して、その拡大率に応じて変更されたシャープネス周波数特性に基づきシャープネス処理を行うことができる。
これにより、図５を用いて上述したような問題を解決し、異なる拡大率の画像をマルチ画面ＭＧに表示する場合であっても、各ディスプレイＤ１〜Ｄ９が表示する画像のシャープネスレベルを合わせることができる。
【００７０】
［第３実施形態］
また、本発明は、上記構成に限られず、表示制御装置１００は、例えば、図８に示すような構成であってもよい。
図８は、表示制御装置１００に適用可能な表示制御装置１１０の構成の一例を示すブロック図である。
図８に示す通り、表示制御装置１１０は、信号分別部１１と、制御信号統合部１４と、画像信号分配部１１２と、制御信号解析分配部１１３と、複数の制御信号重畳部１１５Ａ〜１１５Ｄを含む。なお、図３を参照して説明した構成と同様の構成については、同一の符号を付して詳細な説明は省略する。
【００７１】
画像信号分配部１１２は、並列接続表示システムとして機能する場合、信号分析部１１から入力する画像信号を制御信号重畳部１１５Ａ〜１１５Ｄのそれぞれに分配して出力する。つまり、画像信号分配部１１２は、画像信号を複製して、各制御信号重畳部１１５Ａ〜１１５Ｄに分配する。
【００７２】
制御信号解析分配部１１３は、信号分析部１１から入力する表示制御信号を解析して、各ディスプレイＤ１〜Ｄ４に対応する端末制御信号に分配する。この制御信号解析分配部１１３は、並列接続表示システムとして機能する場合、各ディスプレイＤ１〜Ｄ４に対応する端末制御信号を、それぞれ、制御信号重畳部１１５Ａ〜１１５Ｄに出力する。一方、直列接続表示システムとして機能する場合、制御信号解析分配部１１３は、各ディスプレイＤ１〜Ｄ４に分配される端末制御信号に対して各ディスプレイＤ１〜Ｄ４の識別情報ＩＤ１〜４を付与して制御信号統合部１４に出力する。
なお、制御信号解析分配部１１３は、制御信号解析分配部１３と同様、表示制御信号に含まれる表示位置情報、表示拡大率情報および表示シャープネスレベル情報に基づき、端末位置情報や端末拡大率情報および端末シャープネスレベル情報を解析によって得て、これらを含む端末制御信号を、各制御信号重畳部１１５Ａ〜１１５Ｄあるいは制御信号統合部１４に出力する。
【００７３】
制御信号重畳部１１５Ａ〜１１５Ｄは、並列接続表示システムとして機能する場合、画像信号分配部１１２から入力される画像信号と、制御信号解析分配部１３から入力される端末制御信号を重畳して、画像／制御信号を生成し、各ディスプレイＤ１〜Ｄ４に出力する。なお、制御信号重畳部１１５Ａ〜１１５Ｄは、それぞれディスプレイＤ１〜Ｄ４と接続されている。また、複数の制御信号重畳部１１５Ａ〜１１５Ｄは、表示制御装置１１０と接続されるディスプレイの数に応じた数で構成されており、ディスプレイＤ１〜Ｄ９と表示制御装置１１０とが並列的に接続されている場合、複数の制御信号重畳部１１５Ａ〜１１５Ｉから構成される。
【００７４】
また、本発明に係るディスプレイは、図４を参照して説明した上記構成に限られず、例えば、図９に示すような構成であってもよい。
図９は、ディスプレイＤ１〜Ｄ９に適用可能なディスプレイ２０１の構成の一例を示すブロック図である。
図９に示す通り、ディスプレイ２０１は、信号処理部２２０と、表示部２５とを含む。
この信号処理部２２０は、信号分別部２１と、画像処理部２２と、制御信号解析部２３と、画質処理部２６を含む。なお、図４を参照して説明した構成と同様の構成については、同一の符号を付して詳細な説明は省略する。
【００７５】
制御信号解析部２３は、入力する端末制御信号を解析し、端末制御信号に含まれる端末拡大率情報、端末位置情報、および端末シャープネスレベル情報を得る。この制御信号解析部２３は、解析によって得られる端末拡大率情報および端末位置情報を画像処理情報として画像処理部２４に出力する。また、制御信号解析部２３は、解析によって得られる端末拡大率情報および端末シャープネスレベル情報を周波数情報として画質処理部２６に出力する。
【００７６】
画像処理部２２は、制御信号解析部２３から入力する画像処理情報に基づき、信号分別部２１から入力する画像信号に対して画像処理を行い、画像処理をした画像信号を画質処理部２６に出力する。
【００７７】
画質処理部２６は、複数のシャープネス回路２６１Ａ〜２６１Ｄと、切替制御部２６２とを含む。この画質処理部２６は、周波数情報に含まれる端末拡大率情報および端末シャープネスレベル情報に基づきシャープネス回路を選択し、当該選択したシャープネス回路から得た画像信号を表示部２５に出力する。
具体的に説明すると、複数のシャープネス回路２６１Ａ〜２６１Ｄは、シャープネスレベルおよび拡大率に応じて予め決められているシャープネス周波数特性をそれぞれ有する回路であって、制御信号解析部２３から入力する周波数情報に含まれる拡大率やシャープネスレベルに応じて、入力する画像信号に対してシャープネス処理を行うか否かを判断する。
【００７８】
例えば、シャープネス回路２６１Ａは、拡大されていない画像信号（拡大率「１倍」）に対してシャープネスレベル「＋１」〜「＋５」のシャープネス処理を行うためのシャープネス周波数特性を自身の記憶部に記憶している。そして、このシャープネス回路２６１Ａは、画像信号が入力すると、周波数情報に含まれる端末シャープネスレベル情報が示すシャープネスレベルに応じたシャープネス処理を画像信号に対して行う。そして、シャープネス回路２６１Ａは、シャープネス処理をした画像信号を切替制御部２６２に出力する。
なお、シャープネス回路２６１Ａは、周波数情報に含まれる端末拡大率情報が示す拡大率に基づき、この拡大率と、自身に割り当てられている拡大率（ここでは、拡大率「１倍」）とが一致するかどうかを判断し、一致した場合、入力する画像信号にシャープネス処理を行い、切替制御部２６２に出力するものであってもよい。
【００７９】
また、シャープネス回路２６１Ｂは、例えば、画像サイズを２倍に拡大した画像信号（拡大率「２倍」）に対してシャープネスレベル「＋１」〜「＋５」のシャープネス処理を行うためのシャープネス周波数特性を自身の記憶部に記憶している。そして、このシャープネス回路２６１Ｂは、画像信号を入力すると、周波数情報に含まれる端末シャープネスレベル情報が示すシャープネスレベルに応じたシャープネス処理を画像信号に対して行う。そして、シャープネス回路２６１Ｂは、シャープネス処理をした画像信号を切替制御部２６２に出力する。
【００８０】
さらに、シャープネス回路２６１Ｃ、２６１Ｄも、同様にして、画像サイズを３倍、４倍に拡大した画像信号に対してシャープネスレベル「＋１」〜「＋５」のシャープネス処理を行うためのシャープネス周波数特性を自身の記憶部に記憶している。このシャープネス回路２６１Ｃ、２６１Ｄは、それぞれの拡大率に応じたシャープネス周波数特性に基づき、画像サイズが拡大された画像信号に対して、シャープネス処理を行う。
また、このシャープネス回路２６１Ｂ〜２６１Ｄも同様にして、周波数情報に含まれる端末拡大率情報が示す拡大率に基づき、この拡大率と、自身に割り当てられている拡大率とが一致するかどうかを判断し、一致した場合、入力する画像信号にシャープネス処理を行い、切替制御部２６２に出力するものであってもよい。
【００８１】
なお、シャープネス回路２６１Ａが記憶するシャープネス周波数特性は、第１実施形態で説明した変更されていないシャープネス周波数特性に相当する。例えば、シャープネスレベル「＋１」のシャープネス処理を行うためのシャープネス周波数特性は、画面の水平方向に周波数ｆ０をピークとした周波数特性を有する。
一方、シャープネス回路２６１Ｂ〜２６１Ｄが記憶するシャープネス周波数特性は、第１実施形態で説明した変更されたシャープネス周波数特性に相当する。例えば、画像サイズを２倍、３倍、・・・、Ｘ倍に拡大した画像信号に対してシャープネスレベル「＋１」のシャープネス処理を行うためのシャープネス周波数特性は、画面の水平方向に周波数ｆ０／２、ｆ０／３、・・・、ｆ０／Ｘをピークとした周波数特性を有する。
【００８２】
切替制御部２６２は、制御信号解析部２３から入力する周波数情報の端末拡大率情報に基づき、シャープネス回路２６１Ａ〜２６１Ｄから入力した画像信号のうち、表示部２５に出力する画像信号を選択し、選択した一の画像信号を表示部２５に出力する。
例えば、制御信号解析部２３から入力した周波数情報の端末拡大率情報が拡大率「２倍」を示している場合、切替制御部２６２は、シャープネス回路２６１Ｂから出力される画像信号を表示部２５に出力する。
【００８３】
また、上述の表示制御装置やディスプレイの各構成における動作の過程は、コンピュータに実行させるためのプログラムや、このプログラムとしてコンピュータ読み取り可能な記録媒体として利用可能であり、コンピュータシステムが読み出して実行することによって、上記処理が行われる。なお、ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリー等の書き込み可能な不揮発性メモリ、ＣＤ−ＲＯＭ等の可搬媒体、コンピュータシステムに内蔵されるハードディスク等の記憶装置のことをいう。
【００８４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄａｍ  Ａｃｃｅｓｓ  Ｍｅｍｏｒｙ））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００８５】
Ｄ１〜Ｄ９・・・ディスプレイ、１００・・・表示制御装置、２００・・・画像供給装置、１１・・・信号分別部、１２・・・画像信号分配部、１３・・・制御信号解析分配部、１４・・・制御信号統合部、２０・・・信号処理部、２１・・・信号分別部、２２・・・画像処理部、２３・・・制御信号解析部、２４・・・周波数可変型シャープネス回路（画質処理部）、２５・・・表示部
【図１】
2011132235.tif 000003
【図２】
2011132235.tif 000004
【図３】
2011132235.tif 000005
【図４】
2011132235.tif 000006
【図５】
2011132235.tif 000007
【図６】
2011132235.tif 000008
【図７】
2011132235.tif 000009
【図８】
2011132235.tif 000010
【図９】
2011132235.tif 000011
【図１０】
2011132235.tif 000012
【国際調査報告】
2011132235.tif 000013
2011132235.tif 000014
2011132235.tif 000015
2011132235.tif 000016